(57)【要約】【課題】糊付け状態で送り出される壁装材の手動停止操作を比較的容易に行うことができ、非常時の緊急停止にも対応可能な壁紙糊付機を提供する。【解決手段】壁紙糊付機１０は、ロール状に巻回した状態で本体部１０ａの背面側に配置された壁装材を、本体部１０ａに設けられた電動式の送り出しローラ１８などで正面側へ送り出しながら、本体部１０ａ内の糊箱２６に収容されている糊を糊付ローラ２１で巻き上げて壁装材の裏面に転写する。また、壁紙糊付機１０においては、電動式の送り出しローラ１８などの始動、停止などを行う制御ボックス１５を本体部１０ａの左側面に着脱可能に配置するとともに、回転中の送り出しローラ１８などを停止するための停止スイッチを制御ボックス１５の正面部の下方に設けている。本体部１０ａから送り出される糊付後の壁装材を収容する収容部材３２を本体部１０ａの正面部に着脱可能に設けている。【選択図】  図１
2007069051.tif 000002
【特許請求の範囲】
【請求項１】
ロール状に巻回した状態で糊付機の背面側に配置されたシート状の壁装材を、前記糊付機に設けられた電動式ローラで正面側へ送り出しながら、前記糊付機の糊箱に収容されている糊を糊付ローラで巻き上げて前記壁装材の裏面に転写する壁紙糊付機において、
前記電動式ローラの始動、停止を行う制御ボックスを前記糊付機の本体部の側面に着脱可能に配置するとともに、回転中の前記電動式ローラを停止するための停止スイッチを前記制御ボックスの正面部若しくはその周辺部に設けたことを特徴とする壁紙糊付機。
【請求項２】
前記停止スイッチとして、押圧操作で前記電動式ローラの回転を停止する押圧式スイッチを設けた請求項１記載の壁紙糊付機。
【請求項３】
前記本体部から送り出される糊付後の壁装材を収容する収容部材を前記本体部の正面側に着脱可能に設けた請求項１または２記載の壁紙糊付機。
【発明の詳細な説明】
【技術分野】
【０００１】
本発明は、建築物の室内壁面に内装材として貼着される壁紙、クロスなどのシート状壁装材の裏面に連続的に糊を塗布することのできる壁紙糊付機に関する。
【背景技術】
【０００２】
建築物の室内壁面に壁紙やクロスなどの壁装材を貼着する場合、従来、壁装材の裏面に連続的に糊を塗布する機能を備えた、いわゆる壁紙糊付機が使用されている。従来の壁紙糊付機は、ロール状に巻回して糊付機本体の背面側に配置された壁装材を、本体に設けられた電動ローラで正面側へ送り出しながら、本体内の糊箱に収容されている糊をローラで巻き上げて壁装材の裏面に転写するものが多い（例えば、特許文献１，２参照。）。
【０００３】
特許文献１，２記載の壁紙糊付機の場合、糊付機本体の一部に設けられた制御ボックスを作業者が操作して電動ローラの始動、停止および回転数調節を行うことにより、壁装材の送り出し開始、送り出し停止および送り出し速度の調節などが行われている。このような壁紙糊付機を使用することにより、壁装材への糊付作業を効率化することができる。また、制御ボックスを操作して、必要とする壁装材の長さを予め入力しておけば、送り出される糊付後の壁装材がその長さに達した時点で自動停止する機能を備えたものもある。
【０００４】
【特許文献１】特開２０００−９３８６２号公報
【特許文献２】特開２００２−１０２７７９号公報
【発明の開示】
【発明が解決しようとする課題】
【０００５】
特許文献１，２記載の壁紙糊付機の場合、前記自動停止機能を利用すれば、必要とする長さの壁装材が糊付状態で出てくるので便利である。しかしながら、その都度、必要とする長さ（数値）を予め制御ボックスに入力しなければならず、この入力作業は意外と面倒であるため、熟練作業者は自動停止機能を利用しないことが多い。即ち、熟練作業者は、壁紙糊付機で糊付作業を行っているとき、制御ボックスに数値表示される糊付後の壁装材の送り出し長さを見ながら、その数値が必要とする長さに達した瞬間に、作業ボックスの停止スイッチを操作して送り出しを停止する、という手動停止を行うことが多い。
【０００６】
このような手動停止を行う場合、従来の停止スイッチは糊付機本体の操作ボックスの上面に配置されていることが多いため、壁紙糊付機の正面付近にしゃがんだ姿勢をとることの多い作業者は停止操作がやりにくく、必要とする長さに達した時点で正確に停止できないことがある。そこで、特許文献１記載の壁紙糊付機のように、足で停止操作することのできるフットスイッチを備えたものもある。
【０００７】
しかしながら、人間は手と同様の正確さで足を動かせないので、フットスイッチによる停止操作は難しく、送り出される糊付後の壁装材を必要とする長さで正確に停止することができないのが実状である。
【０００８】
本発明が解決しようとする課題は、糊付け状態で送り出される壁装材の手動停止操作を比較的容易に行うことができ、非常時の緊急停止にも対応可能な壁紙糊付機を提供することにある。
【課題を解決するための手段】
【０００９】
本発明の壁紙糊付機は、ロール状に巻回した状態で糊付機の背面側に配置されたシート状の壁装材を、前記糊付機に設けられた電動式ローラで正面側へ送り出しながら、前記糊付機の糊箱に収容されている糊を糊付ローラで巻き上げて前記壁装材の裏面に転写する壁紙糊付機において、
前記電動式ローラの始動、停止を行う制御ボックスを前記糊付機の本体部の側面に着脱可能に配置するとともに、回転中の前記電動式ローラを停止するための停止スイッチを前記制御ボックスの正面部若しくはその周辺部に設けたことを特徴とする。
【００１０】
このような構成とすれば、壁紙糊付機の正面付近にしゃがんだ姿勢をとっている作業者であっても、制御ボックスの正面部やその周辺領域にある停止スイッチを簡単に操作して電動式ローラを止めることができる。従って、糊付状態で送り出される壁装材の手動停止操作を容易に行うことができる。また、制御ボックスの正面部やその周辺領域にある停止スイッチは、目立ち易く、作業者が操作し易い位置にあり、必要に応じて迅速な操作が可能であるため、非常時の緊急停止にも対応することができる。
【００１１】
この場合、前記停止スイッチとして、押圧操作で前記電動式ローラの回転を停止する押圧式スイッチを設ければ、押圧操作という極めて簡単な操作によって、糊付状態の壁装材の送り出しを停止することが可能となるため、手動停止操作をさらに容易かつ的確に行うことができるようになる。
【００１２】
一方、前記本体部から送り出される糊付後の壁装材を収容する収容部材を前記本体部の正面側に着脱可能に設ければ、糊付状態で本体部から送り出される壁装材を収容部材に収容可能となるので、壁装材が汚損したり、不規則に折れ曲がったりするのを防止することができる。
【発明の効果】
【００１３】
本発明により、糊付け状態で送り出される壁装材の手動停止操作を比較的容易に行うことができ、非常時の緊急停止にも対応可能な壁紙糊付機を提供する。
【発明を実施するための最良の形態】
【００１４】
以下、本発明の実施の形態について説明する。図１は本発明の実施の形態である壁紙糊付機を示す斜視図、図２は図１に示す壁紙糊付機の制御ボックス付近の斜視図である。
【００１５】
図１に示すように、本実施形態の壁紙糊付機１０は、キャスタ３０付きの複数の支持脚１６で支えられた下部フレーム１２と、その上に装着された上部フレーム１１と、これらの両側部をそれぞれ覆う上部カバー１３および下部カバー１４と、左側面の下部カバー１４部分に着脱可能に取り付けられた制御ボックス１５と、を備えている。上部フレーム１１内には、検尺ローラ１７、送り出しローラ１８、テンションローラ１９、ドクターローラ２０、糊付ローラ２１、押さえローラ２２および均しローラ２３が互いに平行をなすように配置されており、均しローラ２３の正面寄りの部分には、複数の糊切り２４が配列された糊切りブラケット２５が配置されている。
【００１６】
上部フレーム１１の左右側面寄りの部分には、それぞれ取っ手２７が取り付けられ、下部フレーム１２には糊箱２６が収納されている。また、壁紙糊付機１０の本体部１０ａの背面側には、ロール状に巻回された壁装材（図示せず）を軸支するための原反芯棒２９およびサイド盤３１が配置され、原反芯棒２９が壁紙受けブラケット２８によって回転可能に支持されている。また、下部フレーム１２の下方部分であって、左右の支持脚１６の間の領域には、後述する、糊付け後の壁装材（図示せず）を収容するための収容部材３２が配置されている。
【００１７】
収容部材３２は、直線状の主軸３２ｂに対し、複数の丸棒材３２ａを、縦横、格子状に組み合わせ、それぞれの交差部分を固着することによって形成されている。収容部材３２は、その主軸３２ｂの左右両端を、左右の支持脚１６に配置された取付具３３ａ，３３ｂにそれぞれ着脱可能に係止することにより、収容部材３２全体が略水平状態になるように保持されている。
【００１８】
収容部材３２の主軸３２ｂの右端部は直線状であるが、左端部は下方に向かってＬ字状に折り曲げられているため、主軸３２ｂの右端部を取付具３３ｂに開設された水平孔３３ｄに挿入した後、主軸３２ｂの左端部のＬ字状部分を取付具３３ａに開設された垂直孔３３ｃに挿入すれば、収容部材３２は揺動することなく安定保持される。収容部材３２の主軸３２ｂの左右両端部の挿入方向はそれぞれ異なっているが、取付具３３ａより少し高い位置に取付具３３ｂが配置されているため、主軸３２ｂは水平状態に保持される。この場合、収容部材３２の主軸３２ｂが、キャスタ３０の接地面から３００ｍｍ程度の高さに位置するようにすることが望ましい。
【００１９】
なお、不使用時の収容部材３２は、その主軸３２ｂの両端を取付具３３ａ，３３ｂから抜くことにより、本体部１０ａの正面部から離脱させることができる。そして、離脱させた収容部材３２は、紐、針金、ワイヤなどを用いて支持脚１６の正面部分などに吊り下げるようにすれば、壁紙糊付機１０を運搬したり、保管したりする際に邪魔にならず、便利である。
【００２０】
図２に示すように、制御ボックス１５の上面部にはストップスイッチ３４、割り込みスイッチ３５および取っ手３７などが設けられている。制御ボックス１５の正面部には、操作パネル１５ａが設けられ、この操作パネルには、数値入力のための複数の数字キー１５ｆ、スタートスイッチ１５ｇ、壁装材の送り出し速度を設定するためのスピード調整つまみ１５ｂ、設定枚数表示部１５ｃ、カウンター表示部１５ｄ、設定長さ表示部１５ｅなどが配置されている。また、制御ボックス１５の正面部の下方には、糊付け後の壁装材（図示せず）の送り出しを停止するための停止スイッチ３６が配置されている。
【００２１】
壁紙糊付機１０は、ロール状に巻回した状態で本体部１０ａの背面側に配置されたシート状の壁装材（図示せず）を、本体部１０ａに設けられた電動式の送り出しローラ１８などで正面側へ送り出しながら、本体部１０ａ内の糊箱２６に収容されている糊を糊付ローラ２１で巻き上げて壁装材の裏面に転写することができる。そして、電動式の送り出しローラ１８などの始動、停止を行う制御ボックス１５を本体部１０ａの左側面に着脱可能に配置するとともに、回転中の送り出しローラ１８などを停止するための停止スイッチ３６を制御ボックス１５の正面部の下方に設けている。
【００２２】
このような構成とすれば、壁紙糊付機１０の正面付近にしゃがんだ姿勢をとる作業者であっても、制御ボックス１５の正面部下方にある停止スイッチ３６を操作して電動式の送り出しローラ１８などを簡単に止めることができる。従って、糊付状態で送り出される壁装材（図示せず）の手動停止操作を比較的容易に行うことができる。また、制御ボックス１５の正面部下方にある停止スイッチ３６は目立ち易く、作業者が操作し易い位置にあるため、必要に応じて迅速な操作が可能であり、平常の糊付作業中は勿論、非常時の緊急停止にも対応することができる。
【００２３】
また、停止スイッチ３６は押圧式スイッチであるため、押圧操作という極めて簡単な操作によって送り出しローラ１８などの回転を停止することができる。従って、必要に応じて、容易かつ的確に手動停止操作を行うことができる。さらに、停止スイッチ３６を赤色や黄色などの目立つ色とすれば、視認性が高まり、作業性が向上する。ただし、停止スイッチ３６は図２に示す位置に限定するものではないため、制御ボックス１５の正面部若しくはその周辺部であれば、それ以外の場所に配置することができる。なお、停止スイッチ３６以外のスイッチ類および入力キー類の操作方法および機能などは従来の壁紙糊付機と同様であるため、説明を省略する。
【００２４】
一方、壁紙糊付機１０においては、図１に示すように、本体部１０ａから送り出される糊付後の壁装材（図示せず）を収容する収容部材３２を本体部１０ａの正面部に着脱可能に設けている。これにより、糊付状態で送り出される壁装材を収容部材３２で収容することができるため、壁装材が床面などに接触して汚損したり、不規則に折れ曲がったりするのを防止することができる。
【産業上の利用可能性】
【００２５】
本発明の壁紙糊付機は、建築物の内装工事の施工現場などにおいて広く利用することができる。
【図面の簡単な説明】
【００２６】
【図１】本発明の実施の形態である壁紙糊付機を示す斜視図である。
【図２】図１に示す壁紙糊付機の制御ボックス付近の斜視図である。
【符号の説明】
【００２７】
１０  壁紙糊付機
１０ａ  本体部
１１  上部フレーム
１２  下部フレーム
１３  上部カバー
１４  下部カバー
１５  制御ボックス
１５ａ  操作パネル
１５ｂ  スピード調整つまみ
１５ｃ  設定枚数表示部
１５ｄ  カウンター表示部
１５ｅ  設定長さ表示部
１５ｆ  数字キー
１５ｇ  スタートスイッチ
１６  支持脚
１７  検尺ローラ
１８  送り出しローラ
１９  テンションローラ
２０  ドクターローラ
２１  糊付ローラ
２２  押さえローラ
２３  均しローラ
２４  糊切り
２５  糊切りブラケット
２６  糊箱
２７，３７  取っ手
２８  壁紙受けブラケット
２９  原反芯棒
３０  キャスタ
３１  サイド盤
３２  収容部材
３２ａ  丸棒材
３２ｂ  主軸
３３ａ，３３ｂ  取付具
３３ｃ  垂直孔
３３ｄ  水平孔
３４  ストップスイッチ
３５  割り込みスイッチ
３６  停止スイッチ
【図１】
2007069051.tif 000003
【図２】
2007069051.tif 000004